(57)【要約】【課題】コストの増加を防止しつつ、引裂帯を両方向から開封できるカートンを提供すること。【解決手段】カートンは、開封用の引裂帯２を備え、引裂帯２は、それぞれ複数の切目３１、３２、４１が引裂帯２の開封方向Ａに断続して列をなす一対の切断線３、４で形成され、一方の切断線３は、開封方向Ａに向かって他方の切断線４から離間するように形成された第１切目３１と、開封方向Ａに向かって他方の切断線４に接近するように形成された第２切目３２とを備え、第１切目３１の開封方向Ａの始端部３１Ａと、第２切目３２の開封方向Ａの終端部３２Ｂとは、開封方向Ａに平行な第１直線Ｌ１上に並ぶとともに、それぞれの向きが開封方向Ａと一致し、第１切目３１の開封方向Ａの終端部３１Ｂと、第２切目３２の開封方向Ａの始端部３２Ａとは、開封方向Ａに平行な第２直線Ｌ２上に並ぶとともに、それぞれの向きが開封方向Ａと一致する。【選択図】図３
2019051962.tif 000002
【特許請求の範囲】
【請求項１】
開封用の引裂帯を備え、
前記引裂帯は、それぞれ複数の切目が前記引裂帯の開封方向に断続して列をなす一対の切断線で形成され、
一方の切断線は、前記開封方向に向かって他方の切断線から離間するように形成された第１切目と、前記開封方向に向かって前記他方の切断線に接近するように形成された第２切目とを備え、
前記第１切目の前記開封方向の始端部と、前記第２切目の前記開封方向の終端部とは、前記開封方向に平行な第１直線上に並ぶとともに、それぞれの向きが前記開封方向と一致し、
前記第１切目の前記開封方向の終端部と、前記第２切目の前記開封方向の始端部とは、前記開封方向に平行な第２直線上に並ぶとともに、それぞれの向きが前記開封方向と一致することを特徴とするカートン。
【請求項２】
前記第１切目および前記第２切目は、前記開封方向の始端部を含む直線状の第１線部と、前記開封方向の終端部を含む直線状の第２線部とを備え、
前記第１切目の第１線部と、前記第２切目の第２線部とは、前記第１直線と一致し、
前記第１切目の第２線部と、前記第２切目の第１線部とは、前記第２直線と一致することを特徴とする請求項１に記載のカートン。
【請求項３】
前記第１切目および前記第２切目は、前記開封方向の始端部を含む曲線状の第１線部と、前記開封方向の終端部を含む曲線状の第２線部とを備え、
前記第１切目の始端部における接線と、前記第２切目の終端部における接線とは、前記第１直線と一致し、
前記第１切目の終端部における接線と、前記第２切目の始端部における接線とは、前記第２直線と一致することを特徴とする請求項１に記載のカートン。
【発明の詳細な説明】
【技術分野】
【０００１】
本発明は、カートンに関する。
【背景技術】
【０００２】
従来、開封用の引裂帯を備えたカートンが知られている（例えば、特許文献１、２参照）。
特許文献１に記載の外装箱（カートン）は、切裂帯（引裂帯）を形成するライナカット線を有している。このライナカット線は、端部が引裂帯側に傾斜したジッパ形状とされている。
特許文献２に記載の段ボール箱（カートン）は、その内面に開封用のカットテープが貼付されている。
【先行技術文献】
【特許文献】
【０００３】
【特許文献１】特開２００８−２８００４７号公報
【特許文献２】特開２００３−２４６３２０号公報
【発明の概要】
【発明が解決しようとする課題】
【０００４】
しかしながら、特許文献１に記載されたような従来のカートンは、引裂帯の開封方向が限られており、一方向にしか開封することができないという問題がある。
また、特許文献２に記載されたような従来のカートンは、カットテープを使用するため、カットテープのコストや、カットテープをカートンに貼付するコストが掛かってしまい、コストが増加するという問題がある。
【０００５】
本発明の目的は、コストの増加を防止しつつ、引裂帯を両方向から開封できるカートンを提供することにある。
【課題を解決するための手段】
【０００６】
本発明のカートンは、開封用の引裂帯を備え、前記引裂帯は、それぞれ複数の切目が前記引裂帯の開封方向に断続して列をなす一対の切断線で形成され、一方の切断線は、前記開封方向に向かって他方の切断線から離間するように形成された第１切目と、前記開封方向に向かって前記他方の切断線に接近するように形成された第２切目とを備え、前記第１切目の前記開封方向の始端部と、前記第２切目の前記開封方向の終端部とは、前記開封方向に平行な第１直線上に並ぶとともに、それぞれの向きが前記開封方向と一致し、前記第１切目の前記開封方向の終端部と、前記第２切目の前記開封方向の始端部とは、前記開封方向に平行な第２直線上に並ぶとともに、それぞれの向きが前記開封方向と一致することを特徴とする。
【０００７】
本発明によれば、引裂帯が切断線で形成されるため、カットテープを使用する必要がなく、コストの増加を防止することができる。
また、切断線の第１切目の端部と第２切目の端部とが、開封方向に平行な直線上に並ぶとともに、各端部の向きが開封方向と一致する。このため、引裂帯を開封方向の一方側および他方側の何れの側から開封しても、切断線が第１切目と第２切目との間の断続部分で確実に切断されるので、引裂帯を両方向から開封することができる。
従って、コストの増加を防止しつつ、引裂帯を両方向から開封できるカートンを提供することができる。
【０００８】
本発明のカートンにおいて、前記第１切目および前記第２切目は、前記開封方向の始端部を含む直線状の第１線部と、前記開封方向の終端部を含む直線状の第２線部とを備え、前記第１切目の第１線部と、前記第２切目の第２線部とは、前記第１直線と一致し、前記第１切目の第２線部と、前記第２切目の第１線部とは、前記第２直線と一致することが好ましい。
【０００９】
本発明によれば、第１切目および第２切目の開封方向の始端部を含む第１線部と、開封方向の終端部を含む第２線部とが、それぞれ直線状に形成されているため、第１切目および第２切目を簡易な形状にすることができ、コストの増加をより防止できる。
【００１０】
本発明のカートンにおいて、前記第１切目および前記第２切目は、前記開封方向の始端部を含む曲線状の第１線部と、前記開封方向の終端部を含む曲線状の第２線部とを備え、前記第１切目の始端部における接線と、前記第２切目の終端部における接線とは、前記第１直線と一致し、前記第１切目の終端部における接線と、前記第２切目の始端部における接線とは、前記第２直線と一致することが好ましい。
【００１１】
本発明によれば、第１切目および第２切目の開封方向の始端部を含む第１線部と、開封方向の終端部を含む第２線部とが、それぞれ曲線状に形成されているため、切断線を曲線的な形状にすることができ、引裂帯を多様なデザインで提供することができる。
【図面の簡単な説明】
【００１２】
【図１】本発明の第１実施形態に係るカートンの斜視図。
【図２】図１のカートンの展開図。
【図３】図１のカートンの引裂帯の拡大平面図。
【図４】本発明の第２実施形態に係るカートンの引裂帯の拡大平面図。
【図５】本発明の第３実施形態に係るカートンの引裂帯の拡大平面図。
【図６】本発明の第４実施形態に係るカートンの引裂帯の拡大平面図。
【発明を実施するための形態】
【００１３】
以下、図面に基づいて本発明の各実施形態について説明する。
なお、以下の記載における開封方向とは、図１に矢印で示すように、カートンに設けられた引裂帯２の開封方向Ａ、Ｂをいい、引裂帯２の開封始端部側から開封終端部側に向かう方向をいう。また、引裂帯２を形成する切断線についての記載は、引裂帯２を図１の何れの開封方向Ａ、Ｂの方向に開封する場合でも成り立つため、便宜上、引裂帯２を開封方向Ａの方向に開封する場合について説明する。
また、第２実施形態以降において、第１実施形態と同じ構成部材および同様な機能を有する構成部材には、第１実施形態の構成部材と同じ符号を付し、それらの説明を省略または簡略化する。
【００１４】
［第１実施形態］
図１において、カートンとしての段ボール箱１は、図２に示す段ボールのブランクシート１０で被収容物を包み込んで箱にした、いわゆるラップラウンド式のものであり、直方体に形成されている。
段ボール箱１は、上面部１１と、底面部１２と、底面部１２の両側に起立する一対の側面部１３と、一対の側面部１３のそれぞれの両端部に連接された内フラップ１４と、上面部１１および底面部１２のそれぞれの両端部に連接された外フラップ１５とを備えている。また、段ボール箱１は、上面部１１、底面部１２、および一対の側面部１３によって胴部が形成され、内フラップ１４を折り曲げ、外フラップ１５を折り曲げて内フラップ１４に重ねることにより胴部が閉塞される。側面部１３と内フラップ１４とには、双方にわたって連続する開封用の引裂帯２が設けられている。
【００１５】
図３にも示すように、引裂帯２は、第１切断線３と第２切断線４とからなる一対の切断線によって形成される。
第１切断線３は、第１切目３１と第２切目３２とが引裂帯２の開封方向Ａに交互に断続して列をなし、波形状とされたものである。また、第１切断線３には、開封を補助するために補助線３３が設けられている。
【００１６】
第１切目３１は、開封方向Ａの始端部３１Ａよりも開封方向Ａの終端部３１Ｂの方が第２切断線４から離間した位置に設けられ、開封方向Ａに向かって第２切断線４から離間するように形成されている。第１切目３１は、始端部３１Ａを含む直線状の第１線部３１Ｃと、終端部３１Ｂを含む直線状の第２線部３１Ｄと、開封方向Ａに対して傾斜した直線状とされ、第１線部３１Ｃおよび第２線部３１Ｄを接続する接続部３１Ｅとを備えている。
【００１７】
第２切目３２は、開封方向Ａの始端部３２Ａよりも終端部３２Ｂの方が第２切断線４側の位置に設けられ、開封方向Ａに向かって第２切断線４に接近するように形成されている。第２切目３２は、始端部３２Ａを含む直線状の第１線部３２Ｃと、終端部３２Ｂを含む直線状の第２線部３２Ｄと、第１線部３２Ｃおよび第２線部３２Ｄに対して傾斜した直線状とされ、第１線部３２Ｃおよび第２線部３２Ｄを接続する接続部３２Ｅとを備えている。
【００１８】
第１切目３１の第１線部３１Ｃと、第２切目３２の第２線部３２Ｄとは、開封方向Ａに平行な第１直線Ｌ１と一致する。すなわち、第１切目３１の始端部３１Ａと、第２切目３２の終端部３２Ｂとは、第１直線Ｌ１上に並ぶとともに、それぞれの向きが開封方向Ａと一致する。
第１切目３１の第２線部３１Ｄと、第２切目３２の第１線部３２Ｃとは、開封方向Ａに平行で第１直線Ｌ１にも平行な第２直線Ｌ２と一致する。すなわち、第１切目３１の終端部３１Ｂと、第２切目３２の始端部３２Ａとは、第２直線Ｌ２上に並ぶとともに、それぞれの向きが開封方向Ａと一致する。
【００１９】
補助線３３は、第１直線Ｌ１上に設けられ、本実施形態では、波形状の始端部３１Ａや終端部３２Ｂの延長線上（引裂帯２の始端や終端）に設けられるとともに、内フラップ１４と側面部１３との連接部に設けられている。
【００２０】
第２切断線４は、直線状の切目４１が開封方向Ａに断続して列をなしたものである。また、第２切断線４には、開封を補助するために補助線３４が設けられている。
補助線３３は、第２直線Ｌ２上に設けられ、本実施形態では、引裂帯２の始端や終端に設けられるとともに、内フラップ１４と側面部１３との連接部に設けられている。
【００２１】
以上の引裂帯２を有している段ボール箱１において、引裂帯２を開封方向Ａの一方側である一方の内フラップ１４の端部２１側から開封する際は、当該端部２１を把持して手前側に折り返すように引き起しつつ、一方の内フラップ１４と連接する側面部１３側に引っ張る。これにより、引裂帯２が第１切断線３および第２切断線４に沿って切断され、引裂帯２が内フラップ１４から側面部１３に移行する。移行した引裂帯２は、他方の内フラップ１４の端部２２まで開封されることで、段ボール箱１から切断される。そして、もう一方の側面部１３側も引裂帯２を同様に開封することで、上面部１１と底面部１２を切り離すことができる。
一方、引裂帯２を他方の端部２２側から開封方向Ｂの方向に開封する際は、当該端部２２を把持して前記方法と同様に一方の端部２１側に向かって開封することができる。この場合、第１切目３１は第２切目３２として機能し、第２切目３２は第１切目３１として機能する。
なお、内フラップ１４から側面部１３に移行する際や、側面部１３から内フラップ１４に移行する際は、補助線３３、３４があることで移行しやすくなる。
【００２２】
以上のような実施形態によれば、引裂帯２が第１切断線３および第２切断線４で形成されるため、カットテープを使用する必要がなく、コストの増加を防止することができる。
また、第１切目３１の始端部３１Ａと第２切目３２の終端部３２Ｂとが、開封方向Ａに平行な第１直線Ｌ１上に並ぶとともに、それぞれの向きが開封方向Ａと一致し、第１切目３１の終端部３１Ｂと第２切目３２の始端部３２Ａとが、開封方向Ａに平行な第２直線Ｌ２上に並ぶとともに、それぞれの向きが開封方向Ａと一致する。このため、引裂帯２を開封方向Ａの一方側および他方側の何れの側から開封しても、第１切断線３が第１切目３１と第２切目３２との間の断続部分で確実に切断されるので、引裂帯２を両方向から開封することができる。
従って、コストの増加を防止しつつ、引裂帯２を両方向から開封できる段ボール箱１を提供することができる。
【００２３】
また、第１切断線３が波形状とされているため、引裂帯２の幅寸法を部分的に大きくすることができ、引裂帯２の剛性を高めることができる。
【００２４】
［第２実施形態］
本実施形態は、図４に示すように、第１切断線５の形状が第１実施形態と相違する。
第１切断線５は、第１切目５１と第２切目５２とが引裂帯２の開封方向Ａに交互に断続して列をなしたものである。また、第１切断線５には、開封を補助するために補助線３３が設けられている。
【００２５】
第１切目５１は、開封方向Ａの始端部５１Ａを含む曲線状の第１線部５１Ｃと、開封方向Ａの終端部５１Ｂを含む曲線状の第２線部５１Ｄと、開封方向Ａに対して傾斜した直線状とされ、第１線部５１Ｃおよび第２線部５１Ｄを接続する接続部５１Ｅとを備えている。
第１線部５１Ｃは、第１切目５１を挟んで第２切断線４の反対側に曲率中心Ｃ１を有する曲線状に形成されている。
第２線部５１Ｄは、第１切目５１よりも第２切断線４側に曲率中心Ｃ２を有する曲線状に形成されている。
【００２６】
第２切目５２は、開封方向Ａの始端部５２Ａを含む曲線状の第１線部５２Ｃと、開封方向Ａの終端部５２Ｂを含む曲線状の第２線部５２Ｄと、第１線部５２Ｃおよび第２線部５２Ｄを接続する直線状の接続部５２Ｅとを備えている。
第１線部５２Ｃは、第２切目５２よりも第２切断線４側に曲率中心Ｃ３を有する曲線状に形成されている。
第２線部５２Ｄは、第２切目５２を挟んで第２切断線４の反対側に曲率中心Ｃ４を有する曲線状に形成されている。
【００２７】
第１切目５１の第１線部５１Ｃの始端部５１Ａにおける接線と、第２切目５２の第２線部５２Ｄの終端部５２Ｂにおける接線とは、第１直線Ｌ１と一致する。すなわち、第１切目５１の始端部５１Ａと、第２切目５２の終端部５２Ｂとは、第１直線Ｌ１上に並ぶとともに、それぞれの向きが開封方向Ａと一致する。
第１切目５１の第２線部５１Ｄの終端部５１Ｂにおける接線と、第２切目５２の第１線部５２Ｃの始端部５２Ａにおける接線とは、第２直線Ｌ２と一致する。すなわち、第１切目５１の終端部５１Ｂと、第２切目５２の始端部５２Ａとは、第２直線Ｌ２上に並ぶとともに、それぞれの向きが開封方向Ａと一致する。
【００２８】
本実施形態によっても、第１実施形態と同様の効果が得られる。
また、第１切目５１および第２切目５２の第１線部５１Ｃ、５２Ｃと、第２線部５１Ｄ、５２Ｄとが、それぞれ曲線状に形成されているため、第１切断線５を曲線的な形状にすることができ、引裂帯２を多様なデザインで提供することができる。
【００２９】
［第３実施形態］
本実施形態は、図５に示すように、第１切断線６の形状が第１実施形態と相違する。
第１切断線６は、第１切目３１と、第２切目３２と、第１切目３１および第２切目３２間に設けられた直線状の第３切目６１とを備え、第１切目３１、第２切目３２、および第３切目６１が開封方向Ａに断続して列をなしたものである。また、第１切断線６には、開封を補助するために補助線３３が設けられている。
第３切目６１は、第１切目３１の第１線部３１Ｃと第２切目３２の第２線部３２Ｄとの間、および第１切目３１の第２線部３１Ｄと第２切目３２の第１線部３２Ｃとの間に、それぞれ設けられている。
第１切目３１の第１線部３１Ｃと、第３切目６１と、第２切目３２の第２線部３２Ｄとは、第１直線Ｌ１と一致する。
第１切目３１の第２線部３１Ｄと、第３切目６１と、第２切目３２の第１線部３２Ｃとは、第２直線Ｌ２と一致する。
【００３０】
本実施形態によっても、第１実施形態と同様の効果が得られる。
【００３１】
［第４実施形態］
本実施形態は、図６に示すように、第２切断線７の形状が第１実施形態と相違する。
第２切断線７は、開封方向Ａの線を対称軸として第１切断線３と線対称に形成され、第４切目７１と第５切目７２とが引裂帯２の開封方向Ａに交互に断続して列をなしている。また、第２切断線７には、開封を補助するために補助線３４が設けられている。
第４切目７１は、開封方向Ａの始端部７１Ａよりも終端部７１Ｂの方が第１切断線３から離間した位置に設けられ、開封方向Ａに向かって第１切断線３から離間するように形成されている。第４切目７１は、始端部７１Ａを含む直線状の第１線部７１Ｃと、終端部７１Ｂを含む直線状の第２線部７１Ｄと、開封方向Ａに対して傾斜した直線状とされ、第１線部７１Ｃおよび第２線部７１Ｄを接続する接続部７１Ｅとを備えている。
第５切目７２は、開封方向Ａの始端部７２Ａよりも終端部７２Ｂの方が第１切断線３側の位置に設けられ、開封方向Ａに向かって第１切断線３に接近するように形成されている。第５切目７２は、始端部７２Ａを含む直線状の第１線部７２Ｃと、終端部７２Ｂを含む直線状の第２線部７２Ｄと、開封方向Ａに対して傾斜した直線状とされ、第１線部７２Ｃおよび第２線部７２Ｄを接続する接続部７２Ｅとを備えている。
【００３２】
第４切目７１の第１線部７１Ｃと、第５切目７２の第２線部７２Ｄとは、開封方向Ａに平行な第３直線Ｌ３と一致する。
第４切目７１の第２線部７１Ｄと、第５切目７２の第１線部７２Ｃとは、開封方向Ａに平行で第３直線Ｌ３にも平行な第４直線Ｌ４と一致する。
【００３３】
本実施形態によっても、第１実施形態と同様の効果が得られる。
【００３４】
［変形例］
なお、本発明は前述した実施形態に限定されるものではなく、本発明の目的を達成できる範囲での変形、改良等は本発明に含まれる。
例えば、カートンは、段ボール以外の紙で形成されてもよい。
段ボール箱１は、ラップラウンド式のものに限られず、任意の方式のものを採用できる。
【００３５】
第１切断線３は、第１切目３１を全て第１切目５１に置き換えた構成でもよいし、一部の第１切目３１を第１切目５１に置き換えた構成でもよい。
第１切断線３は、第２切目３２を全て第２切目５２に置き換えた構成でもよいし、一部の第２切目３２を第２切目５２に置き換えた構成でもよい。
補助線３３、３４は、一箇所に１つのみ設けられてもよいし、一箇所に複数並んで設けられてもよい。
補助線３３、３４は、引裂帯２の始端や終端にのみ設けられてもよいし、内フラップ１４と側面部１３との連接部にのみ設けられてもよいし、それ以外の位置に設けられてもよい。
補助線３３、３４は、一方のみ設けられてもよいし、両方とも設けられなくてもよい。
【００３６】
第１切断線５は、接続部５１Ｅが設けられずに、第１線部５１Ｃと第２線部５１Ｄとが直接接続されてもよい。
第１切断線５は、第１切目５１の終端部５１Ｂと第２切目５２の始端部５２Ａとの間に、単数または複数の第３切目６１が設けられてもよいし、第２切目５２の終端部５２Ｂと第１切目５１の始端部５１Ａとの間に、単数または複数の第３切目６１が設けられてもよい。
【００３７】
第１切断線６は、第１切目３１を全て第１切目５１に置き換えた構成でもよいし、一部の第１切目３１を第１切目５１に置き換えた構成でもよい。
第１切断線６は、第２切目３２を全て第２切目５２に置き換えた構成でもよいし、一部の第２切目３２を第２切目５２に置き換えた構成でもよい。
第１切断線６は、第３切目６１が第１切目３１の終端部３１Ｂと第２切目３２の始端部３２Ａとの間にのみ設けられてもよいし、第３切目６１が第２切目３２の終端部３２Ｂと第１切目３１の始端部３１Ａとの間にのみ設けられてもよい。
第１切断線６は、第１切目３１と第２切目３２との間に、複数の第３切目６１が断続して列をなしたものでもよい。
【００３８】
第１切断線３、５、６は、第１切目３１、５１および第２切目３２、５２をそれぞれ複数並べた構成を採用してもよい。例えば、第１切目３１、５１および第２切目３２、５２を２つずつ並べる場合、１つ目の第１切目３１、５１の終端部３１Ｂ、５１Ｂの横に、２つ目の第１切目３１、５１の始端部３１Ａ、５１Ａを配置し、１つ目の第２切目３２、５２の終端部３２Ｂ、５２Ｂの横に、２つ目の第２切目３２、５２の始端部３２Ａ、５２Ａを配意すればよい。
第１切断線３、５、６の接続部３１Ｅ、３２Ｅ、５１Ｅ、５２Ｅは、引裂帯２の開封方向Ａに直行する直線状に形成されてもよい。
【００３９】
第２切断線４、７に代えて、第１切断線３、５、６を第２切断線として採用し、第１切断線３、５、６と組み合わせてもよい。
第２切断線４は、一部を第２切断線７に置き換えた構成でもよいし、第２切断線４に代えて第２切断線７を採用し、第１切断線５、６と組み合わせてもよい。また、第２切断線４に代えて、開封方向Ａの線を対称軸として第１切断線５と線対称に形成した構成を採用し、第１切断線３、５、６と組み合わせてもよい。
第２切断線７は、一部を第２切断線４に置き換えた構成でもよい。
第２切断線７の接続部７１Ｅ、７２Ｅは、引裂帯２の開封方向Ａに直行する直線状に形成されてもよい。
【符号の説明】
【００４０】
１…段ボール箱（カートン）、２…引裂帯、３、５、６…第１切断線、４、７…第２切断線、３１、５１…第１切目、３２、５２…第２切目、３１Ａ、３２Ａ、５１Ａ、５２Ａ…始端部、３１Ｂ、３２Ｂ、５１Ｂ、５２Ｂ…終端部、３１Ｃ、３２Ｃ、５１Ｃ、５２Ｃ…第１線部、３１Ｄ、３２Ｄ、５１Ｄ、５２Ｄ…第２線部、３３…補助線、Ｌ１…第１直線、Ｌ２…第２直線。
【図１】
2019051962.tif 000003
【図２】
2019051962.tif 000004
【図３】
2019051962.tif 000005
【図４】
2019051962.tif 000006
【図５】
2019051962.tif 000007
【図６】
2019051962.tif 000008